(57)【要約】【課題】グラスの内容物が不透明なものであったり、灰皿にタバコの吸い殻や灰などがたまっていたりしても光の照射による装飾効果を十分に発揮するようにする。【解決手段】コースター１は、ベース板２と、透光性を有するカバー３と、複数個のＬＥＤ５０Ｒ，５０Ｇ，５０ＢおよびＬＥＤ点灯回路が実装されたプリント基板５とを備えている。ベース板２は、上面にプリント基板５を収容する基板収容部２０を有し、各ＬＥＤは、発光部をベース板２の水平面２７より高く位置させ少なくとも外周方向へ光が投射されるように発光部の向きを設定してプリント基板５上に固定されている。カバー３の下面には、基板収容部２０を囲むように下方へ突き出た第１の突起部３３が一体形成されるとともに、カバー３の上面には、第１の突起部３３に対応した位置に上方に突き出た第２の突起部３４がリング状に一体形成されている。【選択図】図２
0003129094.tif 000002
【実用新案登録請求の範囲】
【請求項１】
ベース板と、ベース板に被せられ上面に物品を載せることが可能な透光性を有するカバーと、複数個のＬＥＤおよびＬＥＤ点灯回路が実装されたプリント基板と、ＬＥＤ点灯回路をオン、オフするスイッチとを備え、
前記ベース板は、上面に前記プリント基板を収容する基板収容部を有し、前記の各ＬＥＤは、発光部をベース板の上面より高く位置させ少なくとも外周方向へ光が投射されるように発光部の向きを設定してプリント基板上に固定されており、
前記カバーの下面には、前記基板収容部を囲むように下方へ突き出た突起部が一体形成されるとともに、突起部にはＬＥＤからの光を内部に取り込むための入射面が形成されて成る敷き板。
【請求項２】
前記カバーの上面には、前記突起部に対応した位置に上方へ突き出た突起部がリング状に一体形成されている請求項１に記載された敷き板。
【請求項３】
前記ＬＥＤは、発光色が異なる複数種のＬＥＤより成り、前記プリント基板の上面の等角度位置に配置されている請求項１または２に記載された敷き板。
【請求項４】
前記の各ＬＥＤは、プリント基板に形成されたＬＥＤ点灯回路によって発光色毎に順次点灯する請求項３に記載された敷き板。
【請求項５】
前記カバーは、物品を載置する上面が凹凸面に形成されている請求項１〜４のいずれかに記載された敷き板。
【考案の詳細な説明】
【技術分野】
【０００１】
この考案は、飲料用のグラス、灰皿や花器などの下に敷かれる敷き板に関し、特にこの考案は、ＬＥＤ（発光ダイオード）が組み込まれた発光機能のある敷き板に関する。
【背景技術】
【０００２】
従来、飲料用のグラスやガラス製の灰皿などの下に敷かれる敷き板として、ＬＥＤが組み込まれたものが提案されている（例えば、特許文献１参照）。この種の敷き板は、上面にＬＥＤ、下面にスイッチが実装された基板と、基板の上方を覆うカバー部と、基板の下面を支持する底蓋部とから成り、カバー部と底蓋部とは基板を中間に挟んで一体化されている。ＬＥＤは、光が上方に向けて投射されるように配置されており、底蓋部にはスイッチの操作部を当接させてある。カバー部の上面にグラスや灰皿などを載置すると、その荷重がスイッチの操作部に作用してスイッチをオン動作させ、ＬＥＤ点灯回路を通電させる。これにより、ＬＥＤが点灯動作し、グラスやその内容物に光が照射され、光の照射による美的演出が施される。
【０００３】
【特許文献１】特開２００６−０３４５０４号公報
【考案の開示】
【考案が解決しようとする課題】
【０００４】
しかしながら、上記した構成の敷き板では、ＬＥＤからの光は上方に投射されるので、例えば、グラスの内容物が不透明なものであったり、灰皿にタバコの吸い殻や灰などがたまっていたりすると、光が透過せず、美的演出がほとんど施されず、光の照射による装飾効果があまり引き立たないという問題が生じる。
【０００５】
この考案は、上記した問題に着目してなされたもので、上面に置かれたものが不透明な内容物のものであったり、タバコの吸い殻や灰などがたまった灰皿であったりしても光の照射による装飾効果が十分に期待できる敷き板を提供することを目的とする。
【課題を解決するための手段】
【０００６】
この考案による敷き板は、ベース板と、ベース板に被せられ上面に物品を載せることが可能な透光性を有するカバーと、複数個のＬＥＤおよびＬＥＤ点灯回路が実装されたプリント基板と、ＬＥＤ点灯回路をオン、オフするスイッチとを備えている。前記ベース板は、上面に前記プリント基板を収容する基板収容部を有し、前記の各ＬＥＤは、発光部をベース板の上面より高く位置させ少なくとも外周方向へ光が投射されるように発光部の向きを設定してプリント基板上に固定されている。前記カバーの下面には、前記基板収容部を囲むように下方へ突き出た突起部が一体形成されるとともに、突起部にはＬＥＤからの光を内部に取り込むための入射面が形成されている。
【０００７】
この考案による敷き板は、主としてコースターに用いられるが、これに限られるものではなく、灰皿や花器、置物の下敷きなど、コースター以外の敷物としても使用することが可能である。
【０００８】
この考案の上記した構成において、プリント基板上に複数個のＬＥＤを実装するのに、プリント基板上の等角度位置に配置するのが望ましい。また、１種類（例えば、赤色発光ダイオード）のＬＥＤで構成してもよく、発光色が異なる複数種のＬＥＤで構成してもよい。また、「ＬＥＤ点灯回路」は、全てのＬＥＤを一斉に発光動作させるものであってもよく、順々に発光色毎に発光動作させるものであってもよい。
さらに、ＬＥＤはスイッチを手操作して点灯させてもよいが、カバー上にグラスなどが載せられたとき、その荷重によってスイッチがオン動作して点灯するように構成するのが望ましい。
【０００９】
上記した構成の敷き板において、スイッチをオンして、ＬＥＤ点灯回路を通電させると、ＬＥＤが発光動作する。ＬＥＤからの光は、外周方向へ投射され、カバーの下面に形成された突起部に達する。突起部に達した光は、入射面より突起部内に導入され、突起部の内部を上方に向かって透過し、カバーの上面より外部へ放出される。これにより、カバーの上面の突起部に対応する位置が光り輝く。
【００１０】
この考案の好ましい一実施態様においては、前記カバーの上面には、前記突起部に対応した位置に上方へ突き出た突起部がリング状に一体形成されている。この実施態様によると、カバー下面の突起部内を透過した光はカバーの上面の突起部内に導入された後、突起部内を透過して外部へ放出されるので、突起部が光り輝く。また、グラスなどは、カバーに付着した水滴などで滑っても、突起部がストッパーになるので、敷き板の外へ飛び出すことがない。
【００１１】
この考案のさらに好ましい一実施態様においては、前記カバーは、物品を載置する上面が凹凸面に形成されている。この実施態様によると、グラスなどが凹凸面上に置かれたときは、グラスなどの滑りを防ぐ摩擦面として機能するとともに、敷き板がグラスなどの下面に貼り付いて持ち上がるのを防止する。
【考案の効果】
【００１２】
この考案によると、上面に置かれたものが不透明な内容物のものであっても、光の照射による美的演出を施すことが可能となり、装飾効果が優れた敷き板を提供することができる。
【考案を実施するための最良の形態】
【００１３】
図１〜図３は、この考案の一実施例であるコースター１の構成を示すもので、図１は外観を、図２は内部構造を、図３は組立構造を、それぞれ示す。図示例のコースター１は、合成樹脂製のベース板２と、ベース板２上に被せられて固着される透光性を有する合成樹脂製のカバー３と、ベース板２の下面に取外し可能に装着されるゴム製の底板４とで構成されている。
なお、この考案は、図示例のようなコースター１に限らず、主としてガラス製の灰皿や花器、置物の下面に敷かれる敷き板にも適用できる。
【００１４】
前記ベース板２は、上面が開口する円形状の基板収容部２０を備えたものである。この基板収容部２０の内部には円盤状のプリント基板５が収容され、基板収容部２０の底面部２１上に固定されている。基板収容部２０の上面開口の周縁は水平かつ平坦な水平面２７になっており、この水平面２７上に後述するカバー３の第２の突起部３３が当接するようになっている。
【００１５】
前記プリント基板５には、複数個（図示例では６個。）のＬＥＤ５０Ｒ，５０Ｇ，５０Ｂと、各ＬＥＤ５０Ｒ，５０Ｇ，５０Ｂを発光させるＬＥＤ点灯回路（図示せず。）と、ＬＥＤ点灯回路をオン、オフするスイッチ５１とが実装されている。同図中、５０Ｒは赤色に発光するＬＥＤ、５０Ｇは緑色に発光するＬＥＤ、５０Ｂは青色に発光するＬＥＤであり、各ＬＥＤ５０Ｒ，５０Ｇ，５０Ｂはプリント基板５の表面上に等角度毎に配置されている。
【００１６】
各ＬＥＤ５０Ｒ，５０Ｇ，５０Ｂの２本のリード５４，５４は、それぞれプリント基板５に設けられた図示しない配線パターンにハンダ付けされている。前記の各リード５４，５４は、図２に示すように、各ＬＥＤ５０Ｒ，５０Ｇ，５０Ｂの発光部（チップ）が前記ベース板２の水平面２７の高さ位置ｈよりも高く位置するように、その長さが設定され、かつプリント基板５上に起立させるとともに、発光部より外周方向に向けて光が投射されるように上端部が外方に向かって直角に折り曲げられている。これにより各ＬＥＤ５０Ｒ，５０Ｇ，５０Ｂからの光は、主として外周に向かって投射されるとともに、光の一部が上方に向けても投射される。
【００１７】
ＬＥＤ点灯回路は、図示しないが、プリント基板５の表裏両面に印刷された配線パターン、マイクロコンピュータのチップ部品、抵抗やダイオードなどの素子などで構成されている。この実施例のチップ部品は、赤色、緑色、青色の各ＬＥＤ５０Ｒ，５０Ｇ，５０Ｂが順々に発光しかつ順々に消灯するような動作制御を行う。
【００１８】
前記スイッチ５１はＬＥＤ点灯回路の通電をオン、オフするためのもので、この実施例では、図４に示すように、丸軸状の操作部５２を有するタクトスイッチ（以下、単に「スイッチ」という。）５１が用いてある。このスイッチ５１はプリント基板５に開設された取付孔５３に嵌めてあり、スイッチ５１の操作部５２はプリント基板５の裏面へ突き出ている。前記ベース板２における基板収容部２０の底面部２１には、前記スイッチ５１に対応する位置に貫通孔２２が形成してあり、この貫通孔２２を前記操作部５２が貫通し底面部２１の下面に臨ませている。
【００１９】
前記ベース板２には、基板収容部２０の底面部２１の外周に、下面に開口する電池収容部２３が形成されている。この電池収容部２３は、図５に示すように、乾電池６を１個づつ収容することが可能な合計４個の凹部２４をもって構成されている。各凹部２４の両端には前記ＬＥＤ点灯回路に導通する金属製の電極６１が装備されている。
【００２０】
ベース板２の下面の電池収容部２３の外周には、周溝２５が形成されている。この周溝２５には底板４の外周縁に形成された立ち上がり壁４０が嵌入され、これによりベース板２の下面全体が底板４により塞がれかつシールされる。前記周溝２５の外周部分はベース板２の底面２６に相当し、ベース板２に底板４が装着されたとき、底板４の下面がベース板２の底面２６と面が一致する。
【００２１】
前記底板４は、柔軟なゴム材により形成されており、ベース板２より取り外すことが可能であり、これにより電池６の交換が可能である。底板４の内面には、図４に示すように、前記スイッチ５１の操作部５２の先端が当接している。また、底板４の内面の前記操作部５２との当接位置には、凸部４１が一体に形成されており、操作部５２が凸部４１に当接することによって、その当接部分に当たる底板４の板面が弾性変形して、底板４の外面にベース板２の底面２６よりわずかに下方へ突き出た突出部分ａが生じる。コースターに荷重Ｐがかかると、突出部分ａに荷重Ｐに応じた上向きの反力が操作力Ｎとして前記操作部５２に作用し、これを押し上げるので、スイッチ５１がオン動作する。
【００２２】
前記カバー３は全体が透明または半透明であり、上面はグラスなどを支持するために水平な載置面３０となっている。カバー３の外周縁はベース板２の外周面に嵌められて高周波溶着により一体に接合され、これによりベース板２とカバー３との間からの水の浸入を防止している。
【００２３】
前記載置面３０の中央部は、その上面に凹凸面３１が形成されている。この凹凸面３１は、各ＬＥＤ５０Ｒ，５０Ｇ，５０Ｂの光を拡散させる拡散面として機能し、また、グラスなどが置かれたとき、グラスなどが滑らないように摩擦面として機能する。さらに、底が平坦なグラスが置かれたとき、グラスの底に付着した水滴によってコースターがグラスに密着して一体に持ち上がることがないようにする。さらにまた、底が窪んだグラスが置かれたとき、窪みに閉じ込められた空気の膨張によりグラスが持ち上げられて動くような事態の発生も防止する。
前記載置面３０の下面には、凹凸面３１の領域に、複数本のリング状の凸条３２が同心円上に形成されている。この凸条３２は光を導入してリング状に光らせるためのものである。
【００２４】
カバー３の下面には、下方に突き出たリング状をなす第１の突起部３３が一体形成されている。この第１の突起部３３は、図２に示すように、先端部が三角形状に尖った断面を有し、内周側の傾斜面３３ＢをＬＥＤ５０Ｒ，５０Ｇ，５０Ｂからの光の入射面となしている。第１の突起部３３の先端部はベース板２の水平面２７に当接している。
前記の各ＬＥＤ５０Ｒ，５０Ｇ，５０Ｂからカバー３の外周方向に向けて投射される光が第１の突起部３３に達すると、入射面３３Ｂで屈曲して突起部３３内に導入され、この光は突起部３３の外周側の傾斜面３３Ａで反射して上方へ向かって透過する。
【００２５】
カバー３の上面の第１の突起部３３に対応する同一の円周位置には、上方に突き出たリング状をなす第２の突起部３４が一体に形成されている。前記カバー３の下面の第１の突起部３３内を透過した光は、第２の突起部３４内に導入され、第２の突起部３４内を透過して外部へ放出される。カバー３の載置面３０上にグラスが置かれていると、この光はグラスの側面を照らすので、グラスの側面が光り輝く。
第２の突起部３４は、載置面３０上のグラスが載置面３０に付着した水滴などで滑ってコースター１より脱落するのを防止する。
【００２６】
上記した構成のコースター１をテーブル上に置くと、底板４の板面には突出部分ａが生じているので、コースター１は部分的にわずかに浮いた状態でテーブル上に支持される。この状態でカバー３の載置面３０上に洋酒などが入ったグラスを置くと、グラスとその内容物の荷重Ｐが作用し、突出部分ａに荷重Ｐに応じた上向きの操作力Ｎが前記操作部５２に作用するので、スイッチ５１がオン動作する。これによりＬＥＤ点灯回路が通電し、ＬＥＤ５０Ｒ，５０Ｇ，５０Ｂが順々に発光動作しかつ順々に消灯動作し、この発光と消灯の各動作が繰り返される。
【００２７】
各ＬＥＤ５０Ｒ，５０Ｇ，５０Ｂから上方へ投射される光はカバー３を通って上部へ出るとともに、各ＬＥＤ５０Ｒ，５０Ｇ，５０Ｂから外周方向へ投射される光は、カバー３の下面に形成された第１の突起部３３に達する。上部に出た光はカバー３の凹凸面３１で拡散され、拡散光の一部がグラスやグラスに満たされた液体を通過するので、コースター１だけでなく、グラスやグラスに満たされた液体、さらには液体中の氷などが光り輝くことになる。
【００２８】
第１の突起部３３に達した光は、第１の突起部３３内に導入されて、上方に向かい、さらに、カバー３の上面の第２の突起部３４を通って外部へ放射される。この光は、グラスの側面を照らすので、グラスの側面も光り輝くことになる。
【００２９】
なお、上記した構成のコースター１は、スイッチ５１の操作部５２は外部に露出しない構造になっており、ベース板２の下面はゴム製の底板４で塞がれているので、グラスの表面に付着した水滴が流れ落ちたりグラスの内容物がこぼれたりしても、水が内部に浸入することがなく、ＬＥＤ点灯回路の短絡、ＬＥＤ５０Ｒ，５０Ｇ，５０Ｂやスイッチ５１の故障や劣化などを引き起こすことがない。ゴム製の底板４は、荷重がかかった状態ではテーブル面と面接触するので、ゴムの大きな摩擦係数によってコースターの滑りが防止され、置かれたグラスが転倒することもない。
【００３０】
カバー３の載置面３０よりグラスを取り除くと、荷重が解除されてスイッチ５１の操作部５２に操作力が作用しなくなるので、スイッチ５１がオフ動作する。これによりＬＥＤ点灯回路への通電が止まり、ＬＥＤ５０Ｒ，５０Ｇ，５０Ｂが消灯する。
【図面の簡単な説明】
【００３１】
【図１】この考案の一実施例であるコースターの平面図である。
【図２】図１のＡ−Ａ線に沿う断面図である。
【図３】コースターの分解斜視図である。
【図４】スイッチの操作部と底板の凸部との当接状態を示す拡大断面である。
【図５】底板の一部を破断して示したコースターの底面図である。
【符号の説明】
【００３２】
１    コースター
２    ベース板
３    カバー
５    プリント基板
２０  基板収容部
２７  水平面
３０  載置面
３１  凹凸面
３３  第１の突起部
３３Ａ  傾斜面
３４  第２の突起部
５０Ｒ，５０Ｇ，５０Ｂ  ＬＥＤ
５１  スイッチ
【図１】
0003129094.tif 000003
【図２】
0003129094.tif 000004
【図３】
0003129094.tif 000005
【図４】
0003129094.tif 000006
【図５】
0003129094.tif 000007